(57)【特許請求の範囲】
【請求項１】
第１巻線が巻回された第１筒状胴部と、第１端子を有する樹脂からなる第１ボビンと、
第２巻線が巻回された第２筒状胴部と、第２端子を有する樹脂からなる第２ボビンと、
前記第１筒状胴部と前記第２筒状胴部が互いに軸方向に並行に配されて、前記第１筒状胴部と前記第２筒状胴部の間に配された樹脂からなるケースと、
前記第１筒状胴部と前記第２筒状胴部に脚部が挿入されたコモンモードの閉磁路を形成するコモンモードコアと、を備え、
前記第１ボビンと前記第２ボビンは、前記第１筒状胴部と前記第２筒状胴部の軸方向両側に設けられた第１端子台と第２端子台を有し、
前記第１端子と前記第２端子は、前記第１端子台と前記第２端子台に固定されて一端が下方に突出し他端が側面から外方に向かって延びるＬ型端子であり、
前記第１端子と前記第２端子の他端に前記第１巻線と前記第２巻線の端末が巻回され、
前記ケースには、第１係止部と、第２係止部が設けられており、
前記第１係止部と前記第２係止部は前記第１端子台と前記第２端子台の上面に係止されて、前記コモンモードコアは前記第１係止部と前記第２係止部の上面に配されており、
前記第１係止部は前記コモンモードコアと前記第１端子との間に第１絶縁壁として配されていると共に、前記第２係止部は前記コモンモードコアと前記第２端子との間に第２絶縁壁として配されていることを特徴とするラインフィルタ。
【請求項２】
前記第１係止部と前記第２係止部は、前記コモンモードコアと、前記第１端子と前記第２端子の他端より、前記第１端子台と前記第２端子台の側面から外方に向かって延びて配されていることを特徴とする請求項１に記載のラインフィルタ。
【請求項３】
前記第１係止部と前記第２係止部は、平面視で、前記第１端子と前記第２端子の一端が挿入される第１端子挿入孔と第２端子挿入孔と、前記第１端子挿入孔と前記第２端子挿入孔の周縁とを覆っていることを特徴とする請求項１または２に記載のラインフィルタ。
【請求項４】
前記第１係止部と前記第２係止部の上面に、前記コモンモードコアが接して配されていることを特徴とする請求項１ないし３のいずれか１項に記載のラインフィルタ。
【請求項５】
前記ケースには、ノーマルモードコアを固定する保持部が設けられており、
前記ノーマルモードコアは、前記保持部に挿入されて固定されて前記コモンモードコアと閉磁路を形成していることを特徴とする請求項１ないし４のいずれか１項に記載のラインフィルタ。
【発明の詳細な説明】
【技術分野】
【０００１】
本発明は、各種の電子機器に使用されるラインフィルタに関する。
【背景技術】
【０００２】
一般にラインフィルタは電源線路における一対の線路とアース間で発生するコモンモードノイズ成分を主に防止するために用いられ、例えば、図１０に示すような特許文献１のラインフィルタが知られている。
図１０のようなラインフィルタでは、ケース１５０は底板１５６、１５７から上方に突出した２枚の側板１５８と２個のコイル部１３３、１４３の間から上方に突出した中間板１５１とからなり、ケースの底板１５６、１５７の内面側とコイル部のＩ型端子１３６、１４６側の底面部が接するように構成されている。図１０のようなラインフィルタでは、２個のコイル部が端子付近でケースにより保持されているため、Ｉ型端子１３６、１４６の位置ずれが発生せずにすみ、端子間の位置精度が向上する。
【先行技術文献】
【特許文献】
【０００３】
【特許文献１】特開２００６−３２６５９号公報
【発明の概要】
【発明が解決しようとする課題】
【０００４】
しかしながら、近年の電子機器の小型化に伴い、ラインフィルタの小型化が望まれている。特に電源ラインに用いられているラインフィルタの場合には、電源回路周辺に設けられることが多く、空冷ファンからの空気の流れを阻害しないため低背化することが望まれている。
そこで、例えば、Ｉ型端子からＬ型端子にして低背化すると、端子台の上面にコモンモードコアが配されているため、端子台の側面から外方に延びるＬ型端子の先端がコモンモードコアの下端に近接されて、絶縁距離を確保しにくい問題が生じる。
【０００５】
本発明は、従来技術が抱える上記課題を解決した、端子位置の精度を維持しながら低背化したラインフィルタを提供しようとするものである。
【課題を解決するための手段】
【０００６】
上記の課題を解決するため、本発明のラインフィルタは、
第１巻線が巻回された第１筒状胴部と、第１端子を有する樹脂からなる第１ボビンと、
第２巻線が巻回された第２筒状胴部と、第２端子を有する樹脂からなる第２ボビンと、
前記第１筒状胴部と前記第２筒状胴部が互いに軸方向に並行に配されて、前記第１筒状胴部と前記第２筒状胴部の間に配された樹脂からなるケースと、
前記第１筒状胴部と前記第２筒状胴部に脚部が挿入されたコモンモードの閉磁路を形成するコモンモードコアと、を備え、
前記第１ボビンと前記第２ボビンは、前記第１筒状胴部と前記第２筒状胴部の軸方向両側に設けられた第１端子台と第２端子台を有し、
前記第１端子と前記第２端子は、前記第１端子台と前記第２端子台に固定されて一端が下方に突出し他端が側面から外方に向かって延びるＬ型端子であり、
前記第１端子と前記第２端子の他端に前記第１巻線と前記第２巻線の端末が巻回され、
前記ケースには、第１係止部と、第２係止部が設けられており、
前記第１係止部と前記第２係止部は前記第１端子台と前記第２端子台の上面に係止されて、前記コモンモードコアは前記第１係止部と前記第２係止部の上面に配されており、
前記第１係止部は前記コモンモードコアと前記第１端子との間に第１絶縁壁として配されていると共に、前記第２係止部は前記コモンモードコアと前記第２端子との間に第２絶縁壁として配されていることを特徴とする。
【０００７】
本発明のラインフィルタでは、さらなる好ましい特徴として、
「前記第１係止部と前記第２係止部は、前記コモンモードコアと、前記第１端子と前記第２端子の他端より、前記第１端子台と前記第２端子台の側面から外方に向かって延びて配されている」、
「前記第１係止部と前記第２係止部は、平面視で、前記第１端子と前記第２端子の一端が挿入される第１端子挿入孔と第２端子挿入孔と、前記第１端子挿入孔と前記第２端子挿入孔の周縁とを覆っていること」、
「前記第１係止部と前記第２係止部の上面に、前記コモンモードコアが接して配されていること」、
「前記ケースには、ノーマルモードコアを固定する保持部が設けられており、
前記ノーマルモードコアは、前記保持部に挿入されて固定されて前記コモンモードコアと閉磁路を形成していること」を含むものである。
【発明の効果】
【０００８】
本発明のラインフィルタによれば、第１ボビンと第２ボビンとケースが、外形寸法がばらつきにくい樹脂から形成されている。
そして、第１ボビンと第２ボビンが、ケースに第１係止部と第２係止部により係止されているため、別体の２つのボビンにそれぞれ設けられた端子間を精度よく位置決めできる。
また、本発明のラインフィルタでは、一端が第１端子台と第２端子台の下方に突出し他端が第１端子台と第２端子台の側面から外方に延びるＬ型端子を設け、このＬ型端子の他端に巻線端末を絡げているため、一端に絡げる巻線端末の高さ分を低背化できる。
さらに、本発明のラインフィルタでは、第１係止部はコモンモードコアと第１端子との間に第１絶縁壁として配されていると共に、第２係止部はコモンモードコアと第２端子との間に第２絶縁壁として配されているため、ラインフィルタの低背化を実現しつつ、コモンモードコアとＬ型端子の他端との絶縁距離を保つことができる。
よって、本発明は、従来例のような構成に比べて、低背化を実現しつつ、部品点数を増やすことなく絶縁距離を保つことができるラインフィルタを得られる。
【図面の簡単な説明】
【０００９】
【図１】第１の実施形態の完成品のラインフィルタであり、（ａ）は平面図、（ｂ）は（ａ）の矢視Ａ−Ａの正面図、（ｃ）は（ａ）の矢視Ｂ−Ｂの側面図である。
【図２】第１の実施形態例における別体のボビンであり、（ａ）は平面図、（ｂ）は正面図である。
【図３】第１の実施形態例におけるコモンモードコアであり、（ａ）は平面図 、（ｂ）は正面図である。
【図４】第１の実施形態例におけるケースであり、（ａ）は平面図、（ｂ）は正面図である。
【図５】第１の実施形態例における別体のボビンをケースに組み込んだときの平面図である。
【図６】第１の実施形態例におけるコモンモードコア１１とＬ型端子の他端３６ｂ、４６ｂとの絶縁距離を示す図１（ｃ）の要部断面図であり、（ａ）は、コモンモードコア１１とＬ型端子３６ｂ、４６ｂとの間に絶縁壁５６、５７が設けられた場合の絶縁距離Ｒ１、Ｒ３を示し、（ｂ）は、コモンモードコア１１とＬ型端子の他端３６ｂ、４６ｂとの間に絶縁壁５６、５７が設けられていない場合の絶縁距離Ｒ２、Ｒ４を示す。
【図７】第２の実施形態例の完成品のラインフィルタであり、（ａ）は平面図、（ｂ）は（ａ）の矢視Ｃ−Ｃの正面図である。
【図８】第２の実施形態例におけるノーマルモードコア６０であり、（ａ）は平面図 、（ｂ）は正面図である。
【図９】本実施形態例における別体のボビンをケースに組み込む前の変形例であり、ケースの第１突部５６ａと第２突部５７ａの下面に凸部５６ｄ、５７ｄが設けられ、この凸部と嵌合される凹部（不図示）がボビンの第１段差部３５と第２段差部４５の上面に設けられたことを示す。
【図１０】従来例のラインフィルタを示す斜視図である。
【発明を実施するための形態】
【００１０】
以下、図面に基づいて本発明の実施の形態を例示的に説明する。
【００１１】
（第１の実施形態例）
【００１２】
図１ないし図６において、本実施形態例におけるラインフィルタ１は、コモンモードコア１０と、第１ボビン３０と、第２ボビン４０と、ケース５０と、止め金具を有する。
【００１３】
第１ボビン３０と第２ボビン４０は、図１または図２に示すように、非磁性の熱硬化性樹脂からなる別体の２つのボビンである。第１ボビン３０と第２ボビン４０は、第１筒状胴部３１と第２筒状胴部４１と、第１筒状胴部３１と第２筒状胴部４１の両側にそれぞれ設けられた第１鍔部３２と第２鍔部４２と、第１筒状胴部３１と第２筒状胴部４１に巻回された絶縁被膜銅線からなる第１巻線３３と第２巻線４３と、第１筒状胴部３１と第２筒状胴部４１の軸方向（Ｙ方向）両側に設けられた第１端子台３４と第２端子台４４と、第１端子台３４と第２端子台４４に固定された第１端子３６と第２端子４６を有する。第１筒状胴部３１と第２筒状胴部４１の断面内形は矩形に形成されており、コモンモードコアの脚部１６の断面外形は、第１筒状胴部３１と第２筒状胴部４１の断面内側より若干小さい矩形に形成されている。なお、第１ボビン３０と第２ボビン４０は、熱可塑性樹脂で形成されてもよい。
【００１４】
第１端子３６と第２端子４６は、第１端子台と第２端子台の下面３４ａ、４４ａから下方に突出する一端３６ａ、４６ａと、第１端子台と第２端子台の側面３４ｂ、４４ｂから軸方向（Ｙ方向）に突出して第１巻線３３と第２巻線４３の端末を巻回する他端３６ｂ、４６ｂを有するＬ型端子からなる。
【００１５】
そして、第１端子と第２端子の一端３６ａ、４６ａが挿入される第１端子挿入孔１７ａと第２端子挿入孔１７ｂが、第１端子台３４と第２端子台４４に形成されている。第１端子挿入孔１７ａと第２端子挿入孔１７ｂは、平面視で（図２（ａ）の紙面表面から裏面）、第１端子台と第２端子台の上面３４ｃ、４４ｃ外形より小さい径でありＺ方向に貫通して形成されている。また、第１端子挿入孔１７ａと第２端子挿入孔１７ｂは、平面視で、第１端子台と第２端子台の上面３４ｃ、４４ｃの略中央に配されており、第１鍔部３２と第２鍔部４２に接していない。
【００１６】
第１端子台と第２端子台の上面３４ｃ、４４ｃには、第１端子挿入孔１７ａと第２端子挿入孔１７ｂに連接されつつ第１端子３６と第２端子４６の他端３６ｂ、４６ｂが挿入される第１端子挿入溝１８ａと第２端子挿入溝１８ｂが形成されている。第１端子挿入溝１８ａと第２端子挿入溝１８ｂは、第１端子台と第２端子台の上面３４ｃ、４４ｃに軸方向（Ｙ方向）に沿って形成されている。
【００１７】
第１端子と第２端子の一端３６ａ、４６ａが第１端子台と第２端子台の上面３４ｃ、４４ｃから端子挿入孔１７ａ、１７ｂに挿入されると第１端子台と第２端子台の下面３４ａ、４４ａから突出して固定される。また、第１端子と第２端子の他端３６ｂ、４６ｂが第１端子挿入溝１８ａと第２端子挿入溝１８ｂに挿入されて第１端子台と第２端子台の側面３４ｂ、４４ｂから軸方向（Ｙ方向）に突出され（図２（ａ）参照）、第１端子台と第２端子台の側面３４ｂ、４４ｂにてＺ方向の中央で固定される（図２（ｂ）参照）。そして、図６（ａ）に示すように、第１端子の他端３６ｂと後述の第１係止部５６の間には隙間が設けられており、第２端子の他端４６ｂと後述の第２係止部５７の間には隙間が設けられている。
【００１８】
第１巻線３３と第２巻線４３の各々は、第１筒状胴部３１と第２筒状胴部４１の外周に１層巻回されている。第１巻線３３の両終端は、第１ボビン３０に設けられた第１端子の他端３６ｂにそれぞれ電気的に接続されている。第２巻線４３の両終端は、第２ボビン４０に設けられた第２端子の他端４６ｂにそれぞれ電気的に接続されている。第１巻線３３と第２巻線４３の外形は、第１ボビンの鍔部３２と第２ボビンの鍔部４２の外形より内側に配されている。なお、第１巻線３３と第２巻線４３の各々は、多層に巻回されてもよい。
【００１９】
コモンモードコア１０は、図３に示すように、２つのＵ型のコア１１からなり、このコア１１は、それぞれ腕部１２と、腕部１２の両端から直角方向に延在した脚部１６を有する。
【００２０】
ケース５０は、図４に示すように、非磁性の熱可塑性樹脂からなり、有底四角筒状部５１と第１係止部５６と第２係止部５７を有する。具体的に、ケース５０は、側壁５３と底部５２を有する有底四角筒状部５１と、有底四角筒状部５１の軸方向（Ｙ方向）の上下両端から左側に突出した平板状の２つの第１係止部５６と、有底四角筒状部５１の軸方向（Ｙ方向）の上下両端から右側に突出した２つの平板状の第２係止部５７を有する。２つの第１係止部５６の隙間Ｈ１は、軸方向（Ｙ方向）における第１ボビンの鍔部３２間の長さＬ１とほぼ同じとなっている。また２つの第２係止部５７の隙間Ｈ２は、軸方向（Ｙ方向）における第２ボビンの鍔部４２間の長さＬ２とほぼ同じとなっている。
【００２１】
第１係止部５６の上面は平面状に形成されている。第１係止部５６の下面は、略平面状に形成されており、後述の第１端子台３４の第１段差部３５と係止される第１突部５６ａを有する。第２係止部５７の上面は平面状に形成されており、第１係止部５６の上面と平行に連結されて同一平面となっている。第２係止部５７の下面は、略平面状に形成されており、後述の第２端子台４４の第２段差部４５と係止される第２突部５７ａを有する。なお、ケース５０は、熱硬化性樹脂で形成されてもよい。
【００２２】
第１端子台と第２端子台の上面３４ｃ、４４ｃは、第１筒状胴部と第２筒状胴部の内底部３１ａ、４１ａに比べて、第１係止部５６と第２係止部５７の厚み分、切り欠かれた構成になっている。これは、第１筒状胴部３１と第２筒状胴部４１内に、２つのコア１１の脚部１６がそれぞれ挿入された際に、コモンモードコア１０の腕部下端１５と第１端子台と第２端子台の上面３４ｃ、４４ｃとの間に第１係止部５６と第２係止部５７を挟持できるようにするためにある。
また、第１端子台と第２端子台の上面３４ｃ、４４ｃには、第１係止部５６と第２係止部５７の第１突部５６ａと第２突部５７ａと係止される第１段差部３５と第２段差部４５が形成されている。  
【００２３】
またケース５０は、図５に示すように、第１ボビン３０と第２ボビン４０との間に配されており、第１係止部５６が第１端子台の上面３４ｃに係止されると共に、第２係止部５７が第２端子台の上面４４ｃに係止されている。
【００２４】
具体的には、２つの第１係止部５６と２つの第２係止部５７の隙間Ｈ１、Ｈ２に第１ボビンと第２ボビンの鍔部３２、４２が挿入されており、かつ、第１筒状胴部と第２筒状胴部の鍔部３２、４２外端が有底四角筒状部の側壁５３に当接して、かつ、第１係止部５６と第２係止部５７が第１端子台と第２端子台の上面３４ｃ、４４ｃに配されて第１突部５６ａ、第２突部５７ａが第１段差部３５、第２段差部４５と係止されて接着剤により固定されている。そして、有底四角筒状部５１が第１筒状胴部３１と第２筒状胴部４１との間に配されて、第１筒状胴部３１と第２筒状胴部４１が軸方向に並行にケース５０に連結されて、第１ボビン３０と第２ボビン４０がケース５０に図１のＸＹＺ方向に固定されている。
【００２５】
そして、第１筒状胴部３１と第２筒状胴部４１内に、２つのコア１１の脚部１６がそれぞれ挿入されて、コア１１の両脚部１６の先端が第１筒状胴部３１と第２筒状胴部４１内で互いに突き合わされて、コア１１がＯ型に形成されてコモンモードの閉磁路が形成される。
【００２６】
本発明では、図６（ａ）に示すように、第１係止部５６がコモンモードコアの腕部下端１５と第１端子の他端３６ｂとの間に第１絶縁壁として配されていると共に、第２係止部５７がコモンモードコアの腕部下端１５と第２端子の他端４６ｂとの間に第２絶縁壁として配されている。
【００２７】
具体的には、第１係止部５６と第２係止部５７は、平面視で（図２（ａ）の紙面表面から裏面）、第１端子台と第２端子台の上面３４ｃ、４４ｃより外形が大きく形成されており、第１端子台と第２端子台の上面３４ｃ、４４ｃを全て覆うように配されている。
第１係止部５６と第２係止部５７が第１端子台と第２端子台の上面３４ｃ、４４ｃに配されると、第１係止部と第２係止部の一端５６ｂ、５７ｂが第１鍔部３２と第２鍔部４２に当接する。そして、第１係止部と第２係止部の他端５６ｃ、５７ｃは第１端子台と第２端子台の側面３４ｂ、４４ｂから軸方向（Ｙ方向）に外方に向かって突出して配されている。
そして、第１筒状胴部３１と第２筒状胴部４１内に、２つのコア１１の脚部１６がそれぞれ挿入されて、コア１１がＯ型に形成されると、コモンモードコアの腕部下端１５全面は第１係止部５６と第２係止部５７の上面に接して配されてコモンモードコア１０が第１ボビン３０と第２ボビン４０に固定される。
そして、第１端子台と第２端子台の側面３４ｂ、４４ｂより突出した第１係止部５６と第２係止部５７は、コモンモードコアの腕部１２と、第１端子と第２端子の他端３６ｂ、４６ｂより軸方向（Ｙ方向）に外方に延びて配される。
【００２８】
止め金具は、２つのコア１１の突き合わせを密着させるためにＵ型に形成されており、軸方向から２つのコア１１を挟むように第２ボビン４０の側面４０ａ側から取り付けられている（不図示）。
【００２９】
このように、本例は、第１巻線３３が巻回された第１筒状胴部３１と、第１端子３６を有する樹脂からなる第１ボビン３０と、第２巻線４３が巻回された第２筒状胴部４１と、第２端子４６を有する樹脂からなる第２ボビン４０と、第１筒状胴部３１と第２筒状胴部４１が互いに軸方向に並行に配されて、第１筒状胴部３１と第２筒状胴部４１の間に配された樹脂からなるケース５０と、第１筒状胴部３１と第２筒状胴部４１に脚部１６が挿入されたコモンモードの閉磁路を形成するコモンモードコア１０と、を備えている。
そして、第１ボビン３０と第２ボビン４０は、第１筒状胴部３１と第２筒状胴部４１の軸方向両側に設けられた第１端子台３４と第２端子台４４を有する。
また、第１端子３６と第２端子４６は、第１端子台３４と第２端子台４４に固定されて一端３６ａ、４６ａが下方に突出し他端３６ｂ、４６ｂが側面から外方に向かって延びるＬ型端子である。
また、第１端子と第２端子の他端３６ｂ、４６ｂに第１巻線３３と第２巻線４３の端末が巻回されている。
また、ケース５０には、第１係止部５６と、第２係止部５７が設けられている。
また、第１係止部５６と第２係止部５７が第１端子台と第２端子台の上面３４ｃ、４４ｃに係止されて、コモンモードコア１０が第１係止部５６と第２係止部５７の上面に配されている。
また、第１係止部５６はコモンモードコア１０と第１端子３６との間に第１絶縁壁として配されていると共に、第２係止部５７はコモンモードコア１０と第２端子４６との間に第２絶縁壁として配されている。
【００３０】
本例のラインフィルタによれば、第１ボビン３０と第２ボビン４０とケース５０が、外形寸法がばらつきにくい樹脂から形成されている。
そして、第１ボビン３０と第２ボビン４０が、ケース５０に第１係止部５６と第２係止部５７により係止されているため、別体の２つのボビンにそれぞれ設けられた端子間を精度よく位置決めできる。
また、従来例のようなＩ型端子では、端子台から下方に突出するＩ型端子に巻線端末を絡げるためこの絡げた分だけラインフィルタが高背化していた。一方、本例では、一端が下方に突出し他端が端子台側面から外方に延びるＬ型端子を設け、このＬ型端子の他端に巻線端末を絡げることにより一端に絡げる高さ分を低背化できる。
しかし、Ｉ型端子からＬ型端子にして低背化すると、端子台の上面にコモンモードコアが配されているため、端子台の側面から外方に延びるＬ型端子の他端がコモンモードコアの下端に近接して、絶縁距離を確保しにくい問題が生じる。そこで、本例は、第１係止部と第２係止部は第１端子台と第２端子台の上面に係止されて、コモンモードコアは第１係止部と第２係止部の上面に配されており、第１係止部はコモンモードコアと第１端子との間に第１絶縁壁として配されていると共に、第２係止部はコモンモードコアと第２端子との間に第２絶縁壁として配されている。そのため、本例のラインフィルタを低背化しつつコモンモードコアとＬ型端子の他端との絶縁距離を保つことができる。
このように、本例は、従来例のような構成に比べて端子位置の精度を維持しながら部品点数を増やすことなく絶縁距離を保ち低背化したラインフィルタを得られる。
【００３１】
また、本例では、第１係止部５６がコモンモードコアの腕部下端１５と第１端子の他端３６ｂとの間に第１絶縁壁として配されていると共に、第２係止部５７がコモンモードコアの腕部下端１５と第２端子の他端４６ｂとの間に第２絶縁壁として配されている。
すると、コモンモードコアの腕部下端１５と、第１端子と第２端子の他端３６ｂ、４６ｂとの間に、第１絶縁壁と第２絶縁壁が配された場合の絶縁距離（図６（ａ）のＲ１、Ｒ３）は、コモンモードコアの腕部下端１５と、第１端子と第２端子の他端３６ｂ、４６ｂとの間に、第１絶縁壁と第２絶縁壁が配されていない場合の絶縁距離（図６（ｂ）のＲ２、Ｒ４）に比べて、延びるものである。
【００３２】
図６（ａ）のＲ１、Ｒ３は、コモンモードコアの腕部下端１５と、第１端子３３と第２端子４３との間に絶縁壁５６、５７が配された場合における、コモンモードコアの腕部下端１５と、第１端子と第２端子の他端３６ｂ、４６ｂとの絶縁距離を示している。図６（ｂ）のＲ２、Ｒ４は、コモンモードコアの腕部下端１５と、第１端子と第２端子の間に絶縁壁５６、５７が配されていない場合における、コモンモードコアの腕部下端１５と、第１端子と第２端子の他端３６ｂ、４６ｂとの絶縁距離を示している。
【００３３】
（絶縁距離Ｒ１、Ｒ２について）
図６（ａ）では、絶縁壁として設けられた第１係止部５６と第２係止部５７が、コモンモードコアの腕部下端１５と、第１端子と第２端子の他端３６ｂ、４６ｂとの間に配されると共に、コモンモードコアの腕部下端１５と、第１端子と第２端子の他端３６ｂ、４６ｂより外方に延びて配されている。すると、コモンモードコアの腕部下端１５と、第１端子と第２端子の他端３６ｂ、４６ｂとの絶縁距離Ｒ１は、絶縁壁として設けられた第１係止部５６と第２係止部５７により延長されて、絶縁壁が配されていない場合の絶縁距離Ｒ２に比べて長く形成できる。
【００３４】
（絶縁距離Ｒ３、Ｒ４について）
また、図６（ａ）の平面視で（紙面の左側から右側を見て）、第１係止部５６と第２係止部５７は、第１端子と第２端子の一端３６ａ、４６ａが挿入される第１端子挿入孔１７ａと第２端子挿入孔１７ｂと、第１端子挿入孔１７ａと第２端子挿入孔１７ｂの周縁とを覆っている。
具体的には、図６（ａ）の平面視で、第１係止部５６が第１端子挿入孔１７ａとその開口端付近である周縁を覆っていると共に、第２係止部５７が第２端子挿入孔１７ｂとその開口端付近である周縁を覆っている。
すると、図６（ａ）の平面視で、第１係止部５６と第１端子挿入孔１７ａの周縁との重畳部分で絶縁距離の延長部分８０が形成されて、第２係止部５７と第２端子挿入孔１７ｂの周縁との重畳部分で絶縁距離の延長部分８０が形成されている。
よって、コモンモードコアの腕部下端１５と、第１端子と第２端子の他端３６ｂ、４６ｂとの絶縁距離Ｒ３は、上述の重畳部分により延長されて、絶縁壁が形成されていない場合の絶縁距離Ｒ４に比べて長く形成される。
【００３５】
このように、本例は、従来例のような構成に比べて、部品点数を増やすことなくコモンモードコアと第１端子と第２端子の他端との絶縁距離を長くできる。なお、絶縁距離Ｒ１と絶縁距離Ｒ３は同じであることが好ましい。
【００３６】
また、第１係止部５６と第２係止部５７の上面に、コモンモードコア１０が接して配されている。よって、絶縁壁として形成された第１係止部５６と第２係止部５７がコモンモードコアの腕部下端１５と第１端子台と第２端子台の上面３４ｃ、４４ｃに挟持されることになり、第１係止部５６と第２係止部５７がケース５０に強固に固定されて、端子間が位置ずれしにくくなる。
【００３７】
また、コモンモードコアの腕部下端１５全面が第１係止部５６と第２係止部５７の上面に接して配されている。そのため、第１係止部５６と第２係止部５７がケース５０に、より強固に固定されるため、端子間が位置ずれしにくくなると共に、本発明のラインフィルタを回路基板に取り付けるときに、コモンモードコアへのストレスを極力抑えて信頼性を向上できる。
【００３８】
（第２の実施形態例）
次に、本発明の第２の実施形態例に係るラインフィルタの構成を図７ないし図９により説明する。
図７ないし図９において、図１ないし図６中の部材と同一の部材には同一の符号を付しており、これらの部材については説明を省略する。
【００３９】
第１の実施形態例のラインフィルタは、コモンモードコア１０を配することによりコモンモードノイズを除去できるが、第２の実施形態例のラインフィルタは第１の実施形態例にノーマルモードコア６０を追加することにより、コモンモードノイズとノーマルモードノイズの両方を除去できるものである。
【００４０】
ノーマルモードコア６０は、図８に示すように、２つの腕部６１と１つの脚部６４を有するＴ型に形成されている。
【００４１】
有底四角筒状部（保持部）５１の開口は、有底四角筒状部５１内に挿入されるノーマルモードコアの脚部６４の外形と略同一に形成されている。
【００４２】
有底四角筒状部５１の開口方向は、第１筒状胴部３１と第２筒状胴部４１の軸方向と直角方向に形成されている。
【００４３】
有底四角筒状部５１は底部（当接部）５２を有している。そして、ノーマルモードコア６０が保持部５１に挿入されると、ノーマルモードコアの脚部６４は当接部５２に当接して固定される。
【００４４】
そして、本例では、コモンモードコアの脚部１６が第１筒状胴部３１と第２筒状胴部４１内に配されてコア１１がＯ型に形成されて、ノーマルモードコア６０が有底四角筒状部５１内に挿入されて当接部５２に当接すると、ノーマルモードコア６０がコモンモードコア１０に近接されて、ノーマルモード特性を得られる。
【００４５】
このように、ケース５０には、ノーマルモードコア６０を固定する保持部５１が設けられており、ノーマルモードコア６０は、保持部５１に挿入されて固定されてコモンモードコア１０と閉磁路を形成している。
【００４６】
よって、第２の実施形態例は、１つのラインフィルタにおいて、コモンモードノイズとノーマルモードノイズを抑制でき、本例のラインフィルタを搭載する電子機器の小型化に貢献できる。
【００４７】
本発明は以上の実施形態例に限定するものではなく、その要旨の範囲内で種々に変更することができるものである。
【００４８】
以上の説明では、コモンモードコア１０は第１係止部５６と第２係止部５７の上面に接して配されているが、これに限らない。所定の絶縁距離を確保できるならば、薄くした上記実施形態例の第１係止部５６と第２係止部５７を用いて、コモンモードコアの腕部下端１５が第１係止部５６と第２係止部５７の上面と非接触に配されてもよい。
【００４９】
また以上の説明では、第１端子の他端３６ｂと第１係止部５６の間には隙間が設けられており、第２端子の他端４６ｂと第２係止部５７の間には隙間が設けられているが、これに限らない。所定の絶縁距離を確保できるならば、第１端子の他端３６ｂが第１係止部５６に接して設けられ、第２端子の他端４６ｂが第２係止部５７に接して設けられてもよい。
【００５０】
また以上の説明では、第１係止部５６と第２係止部５７が第１段差部３５と第２段差部４５に配されて接着剤により固定されているが、図９に示すように、第１係止部の第１突部５６ａと第２係止部の第２突部５７ａの下端面に第１凸部５６ｄと第２凸部５７ｄが設けられ、この凸部５６ｄ、５７ｄと嵌合される不図示の凹部が第１段差部３５と第２段差部４５に設けられ、凹凸嵌合されてもよい。
【符号の説明】
【００５１】
１        ラインフィルタ
１０      コモンモードコア
１１      コア
１２      コモンモードコアの腕部
１５      コモンモードコアの腕部下端
１６      コモンモードコアの脚部
１７ａ    第１端子挿入孔
１７ｂ    第２端子挿入孔
１８ａ    第１端子挿入溝
１８ｂ    第２端子挿入溝
３０      第１ボビン
３１      第１筒状胴部
３１ａ    第１筒状胴部の内底部
３２      第１筒状胴部の鍔部
３３      第１巻線
３４      第１端子台
３４ａ    第１端子台の下面
３４ｂ    第１端子台の側面
３４ｃ    第１端子台の上面
３５      第１段差部
３６      第１端子（Ｌ型端子）
３６ａ    第１端子の一端（Ｌ型端子の一端）
３６ｂ    第１端子の他端（Ｌ型端子の他端）    
４０      第２ボビン
４０ａ    第２ボビンの側面
４１      第２筒状胴部
４１ａ    第２筒状胴部の内底部
４２      第２筒状胴部の鍔部
４３      第２巻線
４４      第２端子台
４４ａ    第２端子台の下面
４４ｂ    第２端子台の側面
４４ｃ    第２端子台の上面
４５      第２段差部
４６      第２端子（Ｌ型端子）
４６ａ    第２端子の一端（Ｌ型端子の一端）
４６ｂ    第２端子の他端（Ｌ型端子の他端）  
５０      ケース
５１      有底四角筒状部（ノーマルモードコアの保持部）
５２      有底四角筒状部の底部（当接部）
５３      有底四角筒状部の側壁
５６      第１係止部（第１絶縁壁）
５６ａ    第１係止部の第１突部
５６ｂ    第１係止部の一端
５６ｃ    第１係止部の他端
５６ｄ    第１係止部の第１凸部
５７      第２係止部（第２絶縁壁）
５７ａ    第２係止部の第２突部
５７ｂ    第２係止部の一端
５７ｃ    第２係止部の他端
５７ｄ    第２係止部の第２凸部
６０      ノーマルモードコア
６１      ノーマルモードコアの腕部
６４      ノーマルモードコアの脚部
８０      絶縁距離の延長部分
【図１】
0006403614.tif 000002
【図２】
0006403614.tif 000003
【図３】
0006403614.tif 000004
【図４】
0006403614.tif 000005
【図５】
0006403614.tif 000006
【図６】
0006403614.tif 000007
【図７】
0006403614.tif 000008
【図８】
0006403614.tif 000009
【図９】
0006403614.tif 000010
【図１０】
0006403614.tif 000011